(57)【要約】【課題】コンバージョンレンズを備えたデジタルカメラにおいて、使用時には対物レンズ前方に容易に装着でき、また未使用時にはカメラボディ内に収容可能とする。【解決手段】対物レンズ３１の前方に出入自在に配置されるコンバージョンレンズ４１を収容したコンバージョンレンズユニット４０を設け、このコンバージョンレンズユニット４０を、対物レンズ３１の下方において左右方向と平行に延びた回転軸を有するヒンジ５０により、対物レンズ３１前方の装着位置と、レンズ鏡胴の下方に設けられた収納位置との間で回転移動可能に、カメラボディ２０に設ける。【選択図】図３
2010039186.tif 000002
【特許請求の範囲】
【請求項１】
固体撮像素子および該固体撮像素子の受光面に被写体光を結像させるレンズ光学系を一体化したレンズ鏡胴が、カメラボディ内の左右方向に亘って延在するように配置され、前記レンズ光学系が屈曲光学系を備えるとともに、前記レンズ光学系の対物レンズが前記カメラボディの前面から露出したデジタルカメラにおいて、
前記対物レンズの前方に出入自在に配置されるコンバージョンレンズを収容したコンバージョンレンズユニットを備え、
該コンバージョンレンズユニットが、前記対物レンズの下方において前記左右方向と平行に延びた第１の回転軸を有するヒンジにより、前記対物レンズ前方の装着位置と、前記レンズ鏡胴の下方に設けられた収納位置との間で回転移動可能に、前記カメラボディに設けられていることを特徴とするデジタルカメラ。
【請求項２】
前記レンズ光学系を制御する制御手段と、
前記コンバージョンレンズユニットが前記装着位置にあることを検出する検出手段とを備え、
前記制御手段が、前記検出手段による検出に応じて、前記レンズ光学系の制御条件をコンバージョンレンズ使用モード用に変更するものであることを特徴とする請求項１記載のデジタルカメラ。
【請求項３】
前記コンバージョンレンズユニットが前記収納位置にある際に、前記コンバージョンレンズユニットを前記カメラボディから露出させる露出位置と前記コンバージョンレンズユニットを遮蔽する遮蔽位置との間で、前記左右方向に移動可能に構成されたコンバージョンレンズユニットカバーが、前記カメラボディに取り付けられていることを特徴とする請求項１または２記載のデジタルカメラ。
【請求項４】
前記ヒンジが、前記第１の回転軸に対して垂直な第２の回転軸を備え、
前記コンバージョンレンズユニットが、前記コンバージョンレンズの光軸方向と平行な側面の一つにカバー面を備えるとともに、前記第２の回転軸に回転自在に取り付けられ、
前記コンバージョンレンズユニットが、前記装着位置から前記収納位置まで移動する際に、前記第１の回転軸および前記第２の回転軸を軸に回転することにより前記収納位置に収納され、該収納位置においては前記カバー面が前記カメラボディから露出するように構成されたものであることを特徴とする請求項１または２記載のデジタルカメラ。
【発明の詳細な説明】
【技術分野】
【０００１】
本発明はデジタルカメラに関し、特にレンズ光学系の撮影倍率範囲を拡大するコンバージョンレンズユニットの機構に関するものである。
【背景技術】
【０００２】
近年、ＣＣＤイメージセンサ等の固体撮像素子を備えたデジタルカメラが普及している。また、被写体光の光軸を略直角に屈曲させる屈曲光学系と固体撮像素子とを一体化したレンズ鏡胴を、カメラボディの左右方向の略全幅に亘って延在するように配置したデジタルカメラが知られている（例えば、特許文献１参照）。このようなデジタルカメラでは、カメラボディの前後方向の厚みを薄くすることができるため、携帯性を向上させることができる。
【０００３】
このような携帯性を優先した小型のデジタルカメラでは、ズームレンズの移動範囲が限られるため、自ずと撮影倍率範囲が限られることになる。また、カメラの撮影倍率範囲を拡大する方法としては、特許文献２で開示されているように、レンズ光学系に挿入抜脱自在なコンバージョンレンズを追加することが考えられるが、上記のような携帯性を優先した小型のデジタルカメラでは、特許文献２で開示されているようにレンズ光学系の後方にコンバージョンレンズを挿入抜脱自在に配することは難しい。
【特許文献１】特開２００４−２１９５１６号公報
【特許文献２】特開平１１−３１１８２８号公報
【発明の開示】
【発明が解決しようとする課題】
【０００４】
以上のことから、携帯性を優先した小型のデジタルカメラにおいて、撮影倍率範囲を拡大しようとすると、対物レンズの前方にコンバージョンレンズを装着することが考えられるが、このようなコンバージョンレンズを常にデジタルカメラと共に持ち運ぶのは煩わしい。
【０００５】
そのため、カメラボディと一体化され、使用したいときには対物レンズの前方に容易に装着でき、また未使用時にはカメラボディ内に収容可能に構成されたコンバージョンレンズが望まれている。
【０００６】
本発明は上記事情に鑑みてなされたものであり、被写体光の光軸を略直角に屈曲させる屈曲光学系と固体撮像素子とを一体化したレンズ鏡胴を、カメラボディの左右方向の略全幅に亘って延在するように配置したデジタルカメラにおいて、使用時には対物レンズ前方に容易に装着でき、また未使用時にはカメラボディ内に収容可能に構成されたコンバージョンレンズを備えたデジタルカメラを提供することを目的とするものである。
【課題を解決するための手段】
【０００７】
本発明のデジタルカメラは、固体撮像素子および固体撮像素子の受光面に被写体光を結像させるレンズ光学系を一体化したレンズ鏡胴が、カメラボディ内の左右方向に亘って延在するように配置され、レンズ光学系が屈曲光学系を備えるとともに、レンズ光学系の対物レンズがカメラボディの前面から露出したデジタルカメラにおいて、対物レンズの前方に出入自在に配置されるコンバージョンレンズを収容したコンバージョンレンズユニットを備え、コンバージョンレンズユニットが、対物レンズの下方において左右方向と平行に延びた第１の回転軸を有するヒンジにより、対物レンズ前方の装着位置と、レンズ鏡胴の下方に設けられた収納位置との間で回転移動可能に、カメラボディに設けられていることを特徴とするものである。
【０００８】
本発明によるデジタルカメラにおいては、レンズ光学系を制御する制御手段と、コンバージョンレンズユニットが装着位置にあることを検出する検出手段とを備え、制御手段が、検出手段による検出に応じて、レンズ光学系の制御条件をコンバージョンレンズ使用モード用に変更するものとしてもよい。
【０００９】
また、コンバージョンレンズユニットが収納位置にある際に、コンバージョンレンズユニットをカメラボディから露出させる露出位置とコンバージョンレンズユニットを遮蔽する遮蔽位置との間で、左右方向に移動可能に構成されたコンバージョンレンズユニットカバーを、カメラボディに取り付けてもよい。
【００１０】
さらに、ヒンジが、第１の回転軸に対して垂直な第２の回転軸を備え、コンバージョンレンズユニットが、コンバージョンレンズの光軸方向と平行な側面の一つにカバー面を備えるとともに、第２の回転軸に回転自在に取り付けられ、コンバージョンレンズユニットが、装着位置から収納位置まで移動する際に、第１の回転軸および第２の回転軸を軸に回転することにより収納位置に収納され、収納位置においてはカバー面がカメラボディから露出するように構成されたものとしてもよい。
【発明の効果】
【００１１】
本発明のデジタルカメラによれば、コンバージョンレンズユニットを、対物レンズの下方において左右方向と平行に延びた第１の回転軸を有するヒンジにより、対物レンズ前方の装着位置と、レンズ鏡胴の下方に設けられた収納位置との間で回転移動可能に、カメラボディに設けたことにより、コンバージョンレンズとカメラボディとが一体化されるため、コンバージョンレンズを別に持ち運ぶ必要が無く、使用したいときにはコンバージョンレンズユニットをヒンジにより回転して対物レンズの前方に容易に装着でき、また未使用時にはカメラボディ内に収容できるため、デジタルカメラの利便性を大幅に向上させることができる。
【００１２】
また、レンズ光学系を制御する制御手段と、コンバージョンレンズユニットが装着位置にあることを検出する検出手段とを備え、制御手段を、検出手段による検出に基づいて、コンバージョンレンズ使用モード用にレンズ光学系の制御条件を変更するものとすることにより、コンバージョンレンズの使用時と未使用時とで、レンズ光学系の制御条件を適切に変更可能とすることができる。
【００１３】
また、コンバージョンレンズユニットが収納位置にある際に、コンバージョンレンズユニットをカメラボディから露出させる露出位置からコンバージョンレンズユニットを遮蔽する遮蔽位置の間で、左右方向に移動可能に構成されたコンバージョンレンズユニットカバーを、カメラボディに取り付けることにより、コンバージョンレンズの未使用時にコンバージョンレンズに埃等が付着するのを防止できる。
【００１４】
さらに、ヒンジが、第１の回転軸に対して垂直な第２の回転軸を備え、コンバージョンレンズユニットが、コンバージョンレンズの光軸方向と平行な側面の一つにカバー面を備えるとともに、第２の回転軸に回転自在に取り付けられ、コンバージョンレンズユニットが、装着位置から収納位置まで移動する際に、第１の回転軸および第２の回転軸を軸に回転することにより収納位置に収納され、収納位置においてはカバー面がカメラボディから露出するように構成することにより、コンバージョンレンズユニットカバーを別途設けることなく、コンバージョンレンズの未使用時にコンバージョンレンズに埃等が付着するのを防止できる。
【発明を実施するための最良の形態】
【００１５】
以下、図面を参照して本発明の実施の形態について詳細に説明する。図１は第１の実施の形態のデジタルカメラのレンズカバーが遮蔽位置にある状態を示した正面図、図２は上記デジタルカメラのレンズカバーが露出位置にあり、かつコンバージョンレンズユニットカバーが遮蔽位置にある状態を示した正面図、図３は上記デジタルカメラのレンズカバーが露出位置にあり、かつコンバージョンレンズユニットカバーが露出位置にある状態を示した正面図、図４は上記図３中のIV−IV線断面方向から見た場合においてコンバージョンレンズが収納位置にある状態を示す概略構成図、図５は上記図４と同じ方向から見た場合においてコンバージョンレンズが装着位置にある状態を示す概略構成図、図６は上記デジタルカメラの機能ブロック図である。
【００１６】
図１〜３に示すように、デジタルカメラ１は、カメラボディ２０に、レンズ鏡胴３０の対物レンズ３１を露出させる露出位置から対物レンズ３１を遮蔽する遮蔽位置の間で左右方向に移動可能に構成されたレンズカバー２１が取り付けられ、正面に対物レンズ３１の他、不図示のストロボ、補助ランプ、各種センサ等の、撮影に必要な一般的な各種装置が設けられた構成となっている。
【００１７】
また、図２〜３に示すように、レンズカバー２１を露出位置にすると、コンバージョンレンズユニットカバー２２が露出する。このコンバージョンレンズユニットカバー２２は、コンバージョンレンズユニット４０を露出させる露出位置からコンバージョンレンズユニット４０を遮蔽する遮蔽位置の間で左右方向に移動可能にカメラボディ２０に取り付けられている。
【００１８】
さらに、背面および下面には、不図示の液晶モニタ（表示部１５）、各種操作設定を行なうためのボタン（操作部１４）、メディアスロット（記憶媒体読取部１６）等が配設され、液晶モニタにはメディアスロットに挿填された不図示の記録媒体１７に記録された画像、各種設定に必要なメニュー操作画面、撮影時においては撮像部１１において取得された画像情報のスルー画等が表示される。
【００１９】
メディアスロットは、記録媒体１７が挿填される挿填口であり、記録媒体１７がメディアスロットに挿填されると、記録媒体１７に対してデータの読取／書込が行われる。
【００２０】
なお、この記録媒体１７はｘＤピクチャーカード（登録商標）、スマートメディア（登録商標）、ＰＣカード、コンパクトフラッシュ（登録商標）、磁気ディスク、光ディスク、光磁気ディスク、メモリスティック（登録商標）等を使用でき、電子的、磁気的、若しくは光学的、又はこれらの組合せによる方式に従って読み書き可能な種々の媒体を用いることができ、このとき使用される媒体に応じた信号処理手段とインターフェースが適用される。
【００２１】
図４に示すように、本実施の形態のデジタルカメラ１の機能ブロックは、ＣＰＵ１０と、撮像部１１と、画像処理部１２と、記憶部１３と、操作部１４と、表示部１５と、記録媒体読取部１６とから概略構成されている。
【００２２】
ＣＰＵ１０は、操作部１４からの入力に基づいてデジタルカメラ１を総括的に制御するものであり、操作部１４からの指示に応じて記憶部１３や記録媒体１７に記憶されているデータを読み出す読出制御部として機能すると共に、各種レンズ駆動機構におけるズーミング動作、焦点調節（ＡＦ）動作及び自動露出調節（ＡＥ）動作等を制御する動作制御部や表示部１５における表示を制御する表示制御部としても機能する。
【００２３】
撮像部１１は、レンズ群１１ａ、撮像素子としてのＣＣＤ１１ｂ、不図示のＣＣＤ駆動部、アナログ処理部１１ｃ及びＡ／Ｄ変換部１１ｄ等を備えている。
【００２４】
レンズ群１１ａは、対物レンズ、被写体光の光軸を略直角に屈曲させる屈曲光学系、ズームレンズおよびズームレンズ駆動機構、絞り、手ブレ補正レンズおよび手ブレ補正レンズ駆動機構、フォーカスレンズおよびフォーカスレンズ駆動機構等を備えている。
【００２５】
このレンズ群１１ａおよびＣＣＤ１１ｂはレンズ鏡胴３０に収容され一体化されている。（なお、レンズ群１１ａにおいて撮影される物体に最も近いレンズが対物レンズ３１となる。）
レンズ群１１ａを介してＣＣＤ１１ｂの受光面に結像された被写体像は、ＣＣＤ１１ｂ上の各センサで入射光量に応じた量の信号電荷に変換される。なおＣＣＤ１１ｂはシャッターゲートパルスのタイミングによって各センサの電荷蓄積時間（シャッタースピード）を制御する、いわゆる電子シャッター機能を有している。
【００２６】
各センサに蓄積された信号電荷は、ＣＣＤ駆動部から加えられるパルスに基づいて信号電荷に応じた電圧信号（アナログ撮像信号）として順次ＣＣＤ１１ｂから読み出される。ＣＣＤ１１ｂから出力されたアナログ撮像信号は、アナログ処理部１１ｃに送られる。
【００２７】
アナログ処理部１１ｃは、サンプリングホールド回路、色分離回路、ゲイン調整回路等の信号処理回路を含み、このアナログ処理部１１ｃにおいて、相関二重サンプリング（ＣＤＳ）処理並びにＲ，Ｇ，Ｂの各色信号に色分離処理され、各色信号の信号レベルの調整（プリホワイトバランス処理）が行われる。
【００２８】
アナログ処理部１１ｃから出力された信号は、Ａ／Ｄ変換部１１ｄによりデジタル信号に変換された後、画像処理部１２に送られる。なおＣＣＤ駆動部、アナログ処理部１１ｃ及びＡ／Ｄ変換部１１ｄは、ＣＰＵ１０の指令に従ってタイミングジェネレータから加えられるタイミング信号により同期して駆動されるようになっている。
【００２９】
画像処理部１２は、輝度・色差信号生成回路、ガンマ補正回路、シャープネス調整回路、コントラスト補正回路、ホワイトバランス調整回路等の画質調整回路を含むデジタルシグナルプロセッサ（ＤＳＰ）で構成されており、ＣＰＵ１０からの指令に基づいて画像信号を処理する。
【００３０】
記憶部１３は、各種データを記憶可能な半導体メモリ等によって構成されている。記憶部１３は、デジタルカメラを作動させるためのシステムプログラム等を記憶している。
【００３１】
操作部１４は、レリーズボタン２５や、コンバージョンレンズユニットロックボタン２６等、各種操作設定を行なうためのボタン等から構成されている。
【００３２】
コンバージョンレンズ４１を収容したコンバージョンレンズユニット４０は、対物レンズ３１の下方において左右方向と平行な回転軸を有するヒンジ５０により、対物レンズ３１前方の装着位置と、レンズ鏡胴３０の下方に設けられた収納位置との間で回転移動可能に、カメラボディ２０に固定されている。
【００３３】
コンバージョンレンズユニット４０が収納位置（図４参照）にある状態で、コンバージョンレンズユニットカバー２２を露出位置に移動させて、コンバージョンレンズユニット４０を露出させた後、コンバージョンレンズユニット４０を上方に回転させることによって、コンバージョンレンズユニット４０を装着位置（図５参照）に持っていくことができる。コンバージョンレンズユニット４０が装着位置にある際には、コンバージョンレンズユニット４０に設けられた係合部と、コンバージョンレンズユニットロックボタン２６とが係合し、コンバージョンレンズユニット４０が装着位置で固定される。
【００３４】
また、コンバージョンレンズユニットカバー２２が閉まっている状態、すなわち遮蔽位置にあることを検出する検出手段として、不図示のカバー検知スイッチ１７が設けられており、コンバージョンレンズユニット４０が装着位置にあることを検出する検出手段として、不図示の装着検知スイッチ１８が設けられている。これらはＣＰＵ１０と接続され、ＣＰＵ１０において各スイッチの検出状態を認識することが可能となっている。
【００３５】
次に、上記のように構成されたデジタルカメラ１の作用について説明する。図７は上記デジタルカメラの撮影時の処理の流れを示すフローチャート、図８は上記デジタルカメラのコンバージョンレンズユニット非装着時のレンズ光学系の制御パターンの一例を示す表、図９は上記デジタルカメラのコンバージョンレンズユニット装着時のレンズ光学系の制御パターンの一例を示す表である。
【００３６】
まず、デジタルカメラ１の電源投入から撮影開始までの流れについて説明する。なお、ここでの処理はいずれもＣＰＵ１０が行なうものである。
【００３７】
図７に示すように、デジタルカメラ１のレンズカバー２１が露出位置に移動され、電源が投入されると（Ａ１）、ユーザーにより撮影モードが指定されているかどうかの判定を行なう（Ａ２）。
【００３８】
撮影モードが指定されている場合、コンバージョンレンズユニット４０が装着位置にあるかどうかの判定を行い（Ａ３）、装着位置にある場合にはこのまま撮影を許可する（Ａ４）。
【００３９】
装着位置にない場合には、さらにコンバージョンレンズユニットカバー２２が遮蔽位置にあるかどうかの判定を行い（Ａ５）、遮蔽位置にない場合にはユーザーにカバーを閉じるように指示する旨のメッセージを液晶モニタに表示し（Ａ６）、コンバージョンレンズユニットカバー２２が遮蔽位置に移動されるまで撮影を禁止する（Ａ７）。コンバージョンレンズユニットカバー２２が遮蔽位置にある場合には特にメッセージを表示することなく（Ａ８）、撮影を許可する（Ａ９）。
【００４０】
また、撮影モードが指定されてない場合、コンバージョンレンズユニット４０が装着位置にあるかどうかの判定を行い（Ａ１０）、装着位置にある場合には特にメッセージの表示等は行なわず（Ａ１１）、装着位置にない場合には、さらにコンバージョンレンズユニットカバー２２が遮蔽位置にあるかどうかの判定を行い（Ａ１２）、遮蔽位置にない場合にはユーザーにカバーを閉じるように指示する旨のメッセージを液晶モニタに表示し（Ａ１３）、遮蔽位置にある場合には特にメッセージの表示等は行なわない（Ａ１４）。
【００４１】
上記のような処理を経て、撮影許可が出た場合には撮影動作を行なう。
【００４２】
撮影時には、ＣＣＤ１１ｂから入力される画像信号はリアルタイムに記憶部１３に格納されるとともに、不図示の液晶モニタに表示される。ユーザーは、液晶モニタに映し出される画像（スルー画）によって被写体画像を確認することができる。
【００４３】
このとき、各種レンズ駆動機構におけるズーミング動作、焦点調節（ＡＦ）動作及び自動露出調節（ＡＥ）動作等は、装着検知スイッチ１８の検出状態に基づき、コンバージョンレンズユニット４０が装着位置にある際と収納位置にある際とで、例えば図８、９に示すように各々に適した異なるモードの制御条件に変更する。これによりレンズ光学系の制御条件を適切に変更可能とすることができる。
【００４４】
そして、ユーザーが所望の被写体画像を得て、レリーズボタン２５を押圧すると、その時に記憶部１３に格納されている画像データは、不図示の圧縮／伸張回路によってＪＰＥＧ等の所定の形式に圧縮され、記録媒体読取部１６を介して記録媒体１７に記録される。なお、画像を保存する手段は、デジタルカメラ１本体に着脱可能な記録媒体１７に限られるものではなく、デジタルカメラ１本体に内蔵された内部メモリであってもよい。
【００４５】
次に、本発明の第２の実施の形態のデジタルカメラについて説明する。本実施の形態のデジタルカメラは、上記第１の実施の形態と比べ、コンバージョンレンズユニットおよびヒンジの構成を変更したものである。具体的には、コンバージョンレンズユニットの光軸方向と平行な側面の一つにカバー面を備えるとともに、ヒンジを２軸とし、コンバージョンレンズユニットが装着位置から収納位置まで移動する際に、２軸で回転することにより収納位置に収納され、収納位置においては上記カバー面がカメラボディから露出するように構成したものである。
【００４６】
図１０、１５〜１８は上記図４と同じ方向から見た場合における本実施の形態のデジタルカメラの概略構成図、図１１は上記デジタルカメラのコンバージョンレンズユニットの斜視図、図１２は上記コンバージョンレンズユニットの摺動溝の概略構成図、図１３は上記デジタルカメラのヒンジの斜視図、図１４は上記デジタルカメラのヒンジとコンバージョンレンズユニットを結合させた状態の正面図、図１９は上記デジタルカメラの機能ブロック図である。なお、本実施の形態のデジタルカメラの正面図については大体上記第１の実施の形態と同様であるため省略する。また、上記第１の実施の形態の構成と同等の要素についても説明を省略する。
【００４７】
図１０に示すように、本実施の形態のデジタルカメラ２のコンバージョンレンズユニット１４０は、対物レンズの下方においてヒンジ１５０により、対物レンズ前方の装着位置と、レンズ鏡胴１３０の下方に設けられた収納位置との間で移動可能に、カメラボディ１２０に固定されている。
【００４８】
図１１、１８に示すように、コンバージョンレンズユニット１４０の側面の一つには収納時にカメラボディ１２０から露出するカバー面１４０ａが形成されており、また図１１中における下面には摺動溝１４５が形成されている。
【００４９】
また、図１３に示すように、ヒンジ１５０は、レンズ鏡胴１３０と平行な第１の回転軸を備えるとともに、中心軸が第１の回転軸に対して垂直な段付ピン１５０ａが形成されており、図１４に示すように、この段付ピン１５０ａが摺動溝１４５内をコンバージョンレンズユニット１４０から外れることなく自由に回転・移動可能に構成されている。これにより、レンズ鏡胴１３０と平行な第１の回転軸と、この第１の回転軸に対して垂直な第２の回転軸の２軸で回転可能となっている。
【００５０】
ここで、コンバージョンレンズユニット１４０の摺動溝１４５について図１２を用いて詳細に説明する。なお、図１２中の内部に斜線を引いた丸印は、移動時における各段階の段付ピン１５０ａの位置を示している。
【００５１】
図１２に示すように、摺動溝１４５は略コ字形状となっており、コンバージョンレンズの光軸方向と直交する第１の摺動部１４５ａ、第３の摺動部１４５ｃと、コンバージョンレンズの光軸方向と平行に延び、第１の摺動部１４５ａの一端および第３の摺動部１４５ｃの一端を連結する第２の摺動部１４５ｂとから構成される。
【００５２】
次いで、コンバージョンレンズユニット１４０を、装着位置から収納位置に移動させるまでの、各部品の動作について説明する。図１０はコンバージョンレンズユニット１４０が装着位置にある状態を示しており、図１８はコンバージョンレンズユニット１４０が収納位置にある状態を示している。図１５〜１７はその途中の段階を順次示している。
【００５３】
コンバージョンレンズユニット１４０が装着位置（図１０参照）にある状態では、ヒンジ１５０の段付ピン１５０ａは、第１の摺動部１４５ａの端部（図１２中の「装着時」と表示した位置）に位置する。
【００５４】
この状態からコンバージョンレンズユニット１４０を下方に９０度回転させると図１５の状態になる。この状態で、コンバージョンレンズユニット１４０を図１５の紙面に対して奥側に移動させ、段付ピン１５０ａを、第１の摺動部１４５ａおよび第２の摺動部１４５ｂの連結部（図１２中の「移動時Ａ」と表示した位置）に位置させる。
【００５５】
その後、コンバージョンレンズユニット１４０を図１５中上方に移動させ、段付ピン１５０ａを、第２の摺動部１４５ｂおよび第３の摺動部１４５ｃの連結部（図１２中の「移動時Ｂ」と表示した位置）に位置させると図１６に示す状態となり、この状態で、コンバージョンレンズユニット１４０を図１６の紙面に対して手前側に移動させ、段付ピン１５０ａを、第３の摺動部１４５ａの端部（図１２中の「収納時」と表示した位置）に位置させる。
【００５６】
この状態からコンバージョンレンズユニット１４０を手前に９０度回転させると図１７の状態になり、さらにこの状態からコンバージョンレンズユニット１４０を下方に９０度回転させると図１８の状態となり、コンバージョンレンズユニット１４０が収納位置に収まることになる。
【００５７】
このような構成とすることにより、コンバージョンレンズユニット１４０が収納位置にある際にはカバー面１４０ａがカメラボディ１２０から露出し、コンバージョンレンズはカメラボディ１２０内部に完全に収容されることになるため、コンバージョンレンズユニットカバーを別途設けることなく、コンバージョンレンズの未使用時にコンバージョンレンズに埃等が付着するのを防止できる。
【００５８】
また、本実施の形態では、コンバージョンレンズユニット１４０が収納位置にあることを検出する検出手段として、不図示の収納検知スイッチ１１７が設けられており、コンバージョンレンズユニット１４０が装着位置にあることを検出する検出手段として、不図示の装着検知スイッチ１１８が設けられている。これらはＣＰＵ１１０と接続され、ＣＰＵ１１０において各スイッチの検出状態を認識することが可能となっている。
【００５９】
次に、上記のように構成されたデジタルカメラ２の作用について説明する。図２０は上記デジタルカメラの撮影時の処理の流れを示すフローチャートである。
【００６０】
まず、デジタルカメラ２の電源投入から撮影開始までの流れについて説明する。なお、ここでの処理はいずれもＣＰＵ１１０が行なうものである。
【００６１】
図２０に示すように、デジタルカメラ２のレンズカバーが露出位置に移動され、電源が投入されると（Ｂ１）、ユーザーにより撮影モードが指定されているかどうかの判定を行なう（Ｂ２）。
【００６２】
撮影モードが指定されている場合、コンバージョンレンズユニット１４０が装着位置にあるかどうかの判定を行い（Ｂ３）、装着位置にある場合にはこのまま撮影を許可する（Ｂ４）。
【００６３】
装着位置にない場合には、さらにコンバージョンレンズユニット１４０が収納位置にあるかどうかの判定を行い（Ｂ５）、収納位置にない場合にはユーザーにコンバージョンレンズユニット１４０を正しく装着するように指示する旨のメッセージを液晶モニタに表示し（Ｂ６）、コンバージョンレンズユニット１４０が装着位置もしくは収納位置に移動されるまで撮影を禁止する（Ｂ７）。コンバージョンレンズユニット１４０が収納位置にある場合には特にメッセージを表示することなく（Ｂ８）、撮影を許可する（Ｂ９）。
【００６４】
また、撮影モードが指定されてない場合、コンバージョンレンズユニット１４０が装着位置にあるかどうかの判定を行い（Ｂ１０）、装着位置にある場合には特にメッセージの表示等は行なわず（Ｂ１１）、装着位置にない場合には、さらにコンバージョンレンズユニット１４０が収納位置にあるかどうかの判定を行い（Ｂ１２）、収納位置にない場合にはユーザーにコンバージョンレンズユニット１４０を正しく装着するように指示する旨のメッセージを液晶モニタに表示し（Ｂ１３）、収納位置にある場合には特にメッセージの表示等は行なわない（Ｂ１４）。
【００６５】
上記のような処理を経て、撮影許可が出た場合には撮影動作を行なう。なお、以後の処理は上記第１の実施の形態と同様である。
【００６６】
次に、本発明の第３の実施の形態のデジタルカメラについて説明する。本実施の形態のデジタルカメラは、上記第２の実施の形態と比べ、コンバージョンレンズユニットおよびヒンジの構成のみを簡素化するように変更したものである。
【００６７】
図２１、２４、２５は上記図４と同じ方向から見た場合における本実施の形態のデジタルカメラの概略構成図、図２２は上記デジタルカメラのコンバージョンレンズユニットの斜視図、図２３は上記デジタルカメラのヒンジの斜視図である。なお、本実施の形態のデジタルカメラの正面図については大体上記第１の実施の形態と同様であるため省略する。また、上記第１の実施の形態の構成と同等の要素についても説明を省略する。
【００６８】
図２１に示すように、本実施の形態のデジタルカメラ３のコンバージョンレンズユニット２４０は、対物レンズの下方においてヒンジ２５０により、対物レンズ前方の装着位置と、レンズ鏡胴２３０の下方に設けられた収納位置との間で移動可能に、カメラボディ２２０に固定されている。
【００６９】
図２２、２５に示すように、コンバージョンレンズユニット２４０には、対物レンズの装着位置でカメラの正面に向かってコンバージョンレンズの左側となる側面に、収納時にカメラボディ２２０から露出してコンバージョンレンズを遮蔽するカバー面２４０ａが形成されている。
【００７０】
また、図２３に示すように、ヒンジ２５０は、レンズ鏡胴と平行な第１の回転軸２５０ａと、この第１の回転軸２５０ａに対して垂直な第２の回転軸２５０ｂとを備え、第１の回転軸２５０ａはカメラボディ２２０に固定され、第２の回転軸２５０ｂはコンバージョンレンズユニット２４０に固定され、これら２軸でそれぞれ９０度ずつ回転可能となっている。
【００７１】
次いで、コンバージョンレンズユニット２４０を、装着位置から収納位置に移動させるまでの、各部品の動作について説明する。図２１はコンバージョンレンズユニット２４０が装着位置にある状態を示しており、図２５はコンバージョンレンズユニット２４０が収納位置にある状態を示している。図２４はその途中の段階を順次示している。
【００７２】
コンバージョンレンズユニット２４０が装着位置（図２１参照）にある状態から、第１の回転軸２５０ａの回りにコンバージョンレンズユニット２４０を下方に９０度回転させると図２４の状態になる。
【００７３】
この状態から、第２の回転軸２５０ｂの回りにコンバージョンレンズユニット２４０を図２４の紙面に対して手前側に９０度回転させると図２５の状態となり、コンバージョンレンズユニット２４０が収納位置に収まり、カメラボディ前面において前記カバー面２４０aがコンバージョンレンズを遮蔽して保護することになる。
【００７４】
このような構成とすることにより、より簡素な構成で上記第２の実施の形態と同様の効果を得ることができる。
【図面の簡単な説明】
【００７５】
【図１】第１の実施の形態のデジタルカメラのレンズカバーが遮蔽位置にある状態を示した正面図
【図２】上記デジタルカメラのレンズカバーが露出位置にあり、かつコンバージョンレンズユニットカバーが遮蔽位置にある状態を示した正面図
【図３】上記デジタルカメラのレンズカバーが露出位置にあり、かつコンバージョンレンズユニットカバーが露出位置にある状態を示した正面図
【図４】図３中のIV−IV線断面方向から見た場合においてコンバージョンレンズが収納位置にある状態を示す概略構成図
【図５】図４と同じ方向から見た場合においてコンバージョンレンズが装着位置にある状態を示す概略構成図
【図６】上記デジタルカメラの機能ブロック図
【図７】上記デジタルカメラの撮影時の処理の流れを示すフローチャート
【図８】上記デジタルカメラのコンバージョンレンズユニット非装着時のレンズ光学系の制御パターンの一例を示す表
【図９】上記デジタルカメラのコンバージョンレンズユニット装着時のレンズ光学系の制御パターンの一例を示す表
【図１０】図４と同じ方向から見た場合における第２の実施の形態のデジタルカメラの概略構成図（装着位置）
【図１１】上記デジタルカメラのコンバージョンレンズユニットの斜視図
【図１２】上記コンバージョンレンズユニットの摺動溝の概略構成図
【図１３】上記デジタルカメラのヒンジの斜視図
【図１４】上記デジタルカメラのヒンジとコンバージョンレンズユニットを結合させた状態の正面図
【図１５】図４と同じ方向から見た場合における上記デジタルカメラの概略構成図（移動中１）
【図１６】図４と同じ方向から見た場合における上記デジタルカメラの概略構成図（移動中２）
【図１７】図４と同じ方向から見た場合における上記デジタルカメラの概略構成図（移動中３）
【図１８】図４と同じ方向から見た場合における上記デジタルカメラの概略構成図（収納位置）
【図１９】上記デジタルカメラの機能ブロック図
【図２０】上記デジタルカメラの撮影時の処理の流れを示すフローチャート
【図２１】図４と同じ方向から見た場合における第３の実施の形態のデジタルカメラの概略構成図（装着位置）
【図２２】上記デジタルカメラのコンバージョンレンズユニットの斜視図
【図２３】上記デジタルカメラのヒンジの斜視図
【図２４】図４と同じ方向から見た場合における上記デジタルカメラの概略構成図（移動中）
【図２５】図４と同じ方向から見た場合における上記デジタルカメラの概略構成図（収納位置）
【符号の説明】
【００７６】
１、２、３      デジタルカメラ
１０、１１０    ＣＰＵ
１１、１１１    撮像部
１１ａ、１１１ａ    レンズ群
１１ｂ、１１１ｂ    ＣＣＤ
１１ｃ、１１１ｃ    アナログ処理部
１１ｄ、１１１ｄ    Ａ／Ｄ変換部
１２、１１２    画像処理部
１３、１１３    記憶部
１４、１１４    操作部
１５、１１５    表示部
１６、１１６    記録媒体読取部
１７    カバー検知スイッチ
１１７    収納検知スイッチ
１８、１１８    装着検知スイッチ
１９、１１９    記録媒体
２０、１２０、２２０    カメラボディ
３０、１３０、２３０    レンズ鏡胴
４０、１４０、２４０    コンバージョンレンズユニット
５０、１５０、２５０    ヒンジ
【図１】
2010039186.tif 000003
【図２】
2010039186.tif 000004
【図３】
2010039186.tif 000005
【図４】
2010039186.tif 000006
【図５】
2010039186.tif 000007
【図６】
2010039186.tif 000008
【図７】
2010039186.tif 000009
【図８】
2010039186.tif 000010
【図９】
2010039186.tif 000011
【図１０】
2010039186.tif 000012
【図１１】
2010039186.tif 000013
【図１２】
2010039186.tif 000014
【図１３】
2010039186.tif 000015
【図１４】
2010039186.tif 000016
【図１５】
2010039186.tif 000017
【図１６】
2010039186.tif 000018
【図１７】
2010039186.tif 000019
【図１８】
2010039186.tif 000020
【図１９】
2010039186.tif 000021
【図２０】
2010039186.tif 000022
【図２１】
2010039186.tif 000023
【図２２】
2010039186.tif 000024
【図２３】
2010039186.tif 000025
【図２４】
2010039186.tif 000026
【図２５】
2010039186.tif 000027